(57)【要約】【課題】  ディスクに貼り付け又は埋め込まれたＩＣタグとＩＣタグ読み書き手段との通信可能距離が極めて短い場合でも、ＩＣタグとＩＣタグ読み書き手段とが信頼性高くデータ通信を行えるようにすること。【解決手段】  非接触式のＩＣタグが貼り付け又は埋め込まれた情報記録媒体であるディスクが、記録再生装置に挿入されたとき或いは記録再生装置から排出されるとき、前記ＩＣタグの情報を読み取り又は前記ＩＣタグに情報を書き込みをするＩＣタグ読み書き手段と、前記ディスクに貼り付け又は埋め込まれた前記ＩＣタグの位置を検出するためのＩＣタグ位置検出手段とを備える。【選択図】    図３
2006154955.tif 000002
【特許請求の範囲】
【請求項１】
非接触式のＩＣタグが貼り付け又は埋め込まれた情報記録媒体であるディスクが、記録再生装置に挿入されたとき或いは記録再生装置から排出されるとき、前記ＩＣタグの情報を読み取り又は前記ＩＣタグに情報を書き込みをするＩＣタグ読み書き手段を備えることを特徴とする記録再生装置。
【請求項２】
請求項１項に記載の記録再生装置において、
前記ディスクに貼り付け又は埋め込まれた前記ＩＣタグの位置を検出するためのＩＣタグ位置検出手段を備えることを特徴とする記録再生装置。
【請求項３】
請求項２に記載の記録再生装置において、
前記ＩＣタグ位置検出手段の検出結果に基づき、前記ディスクの回転停止位置を決定することを特徴とする記録再生装置。
【請求項４】
請求項１に記載の記録再生装置において、
前記ディスクが記録再生装置に挿入されたとき、前記ディスクからの情報の読み取りに先立ち、前記ＩＣタグ読み書き手段により前記ＩＣタグの情報を読み取り、この読み取った前記ＩＣタグの情報に基づき、記録再生装置自体の動作制限の判定をする判定手段を備えることを特徴とする記録再生装置。
【請求項５】
請求項１に記載の記録再生装置において、
前記ディスクが記録再生装置に挿入されたとき、前記ディスクからの情報の読み取りに先立ち、前記ＩＣタグ読み書き手段により前記ＩＣタグの情報を読み取り、この読み取った前記ＩＣタグの情報に基づき、ユーザに許可された前記ディスクに対するアクセス可能範囲の判定をする判定手段を備えることを特徴とする記録再生装置。
【請求項６】
請求項４または５に記載の記録再生装置において、
前記判定手段による判定に必要な情報を、前記ＩＣタグ読み書き手段を用いて前記ＩＣタグに書き込みさせる手段を備えることを特徴とする記録再生装置。
【発明の詳細な説明】
【技術分野】
【０００１】
本発明は、情報記録媒体として光ディスクなどのディスクを用いる記録再生装置に係り、特に、ＩＣタグが装備されたディスクを取り扱う記録再生装置に関する。
【背景技術】
【０００２】
光ディスクなどのディスクに非接触式のＩＣタグを貼り付け／埋め込む技術に関しては、特開２００３−８５５０２号公報（特許文献１）に記載された技術が知られているが、この特許文献１においては、ディスクのＩＣタグに記憶されているデータの読み取り／書き込みに関する具体的技術に関しては、開示されていない。
【０００３】
また、ディスクに埋め込まれたＩＣタグに記憶された情報を、ディスク装置に装備されたＩＣタグ読み取り手段で読み取ることについては、特開２００２−３７３０２９号公報（特許文献２）に記載されている。この特許文献２に記載された技術では、ＩＣタグに書き込まれている復号キーを読み込むことによって、ディスクに書き込まれている暗号化されたソフトウエアをインストール可能とすることにより、不正に複製されたディスクによるインストールを防止するようにしている。
【特許文献１】特開２００３−８５５０２号公報
【特許文献２】特開２００２−３７３０２９号公報
【発明の開示】
【発明が解決しようとする課題】
【０００４】
ところで、特許文献２に開示された技術においては、ディスクに貼り付け／埋め込まれたＩＣタグの位置を、如何にして検出するかについては、考慮が払われていない。しかし、ＩＣタグは、最近の微細化技術の向上により、アンテナも含めて米粒より遙かに小さいサイズ（例えば、０．４ｍｍ角程度）で生産ができるようになっている。このように非常に小さなＩＣタグを用いる場合には、ＩＣタグとＩＣタグ読み取り手段とが通信可能な距離は、数ｍｍ程度以内と非常に短く、したがって、ＩＣタグが装備されたディスクを光ディスク装置に入れただけでは、ＩＣタグの位置がＩＣタグ読み取り手段と離れている確率が非常に高く、ＩＣタグとＩＣタグ読み取り手段との間で、データ通信ができないという問題が生じる。
【０００５】
また、特許文献２に開示された技術においては、ＩＣタグに書き込まれた情報は、ディスクに書き込まれているソフトウェアの保護を目的とするもので、ＩＣタグに書き込まれた情報に応じて、ディスク装置の動作を制限するようにしたり、ユーザ別にディスクの読み書き領域を制限するようにしたりすることなどについては、配慮が払われていない。
【０００６】
本発明はこのような状況を鑑みてなされたものであり、その目的とするところは、ディスクに貼り付け又は埋め込まれたＩＣタグとＩＣタグ読み書き手段との通信可能距離が極めて短い場合でも、ＩＣタグとＩＣタグ読み書き手段とが信頼性高くデータ通信を行えるようにすることにある。さらに、本発明の目的とするところは、ＩＣタグに書き込まれた情報を利用して、記録再生装置自体の動作制限を行うことを可能にしたり、ユーザに応じてディスクに対するアクセス制限を行うことを可能にすることにある。
【課題を解決するための手段】
【０００７】
上記した目的を達成するために、本発明による記録再生装置は、非接触式のＩＣタグが貼り付け又は埋め込まれた情報記録媒体であるディスクが、記録再生装置に挿入されたとき或いは記録再生装置から排出されるとき、前記ＩＣタグの情報を読み取り又は前記ＩＣタグに情報を書き込みをするＩＣタグ読み書き手段と、前記ディスクに貼り付け又は埋め込まれた前記ＩＣタグの位置を検出するためのＩＣタグ位置検出手段とを備える。  
また、前記ディスクが記録再生装置に挿入されたとき、前記ディスクからの情報の読み取りに先立ち、前記ＩＣタグ読み書き手段により前記ＩＣタグの情報を読み取り、この読み取った前記ＩＣタグの情報に基づき、記録再生装置自体の動作制限の判定またはユーザに許可された前記ディスクに対するアクセス可能範囲の判定をする判定手段を備える。
【発明の効果】
【０００８】
本発明によれば、ディスクに貼り付け又は埋め込まれたＩＣタグの位置を検出するためのＩＣタグ位置検出手段が、ディスク面のどの位置にＩＣタグが配置されているのかを検知するので、この検出結果に基づいて、ディスクの回転停止位置と、ＩＣタグ読み書き手段のディスク半径方向位置とを、的確に制御することができ、ＩＣタグとＩＣタグ読み書き手段とを適正に接近させることができる。したがって、ディスクに装備されるＩＣタグが微小で、ＩＣタグとＩＣタグ読み書き手段との通信可能距離が極めて短くても、ＩＣタグとＩＣタグ読み書き手段とが信頼性高くデータ通信を行えるようになる。さらに、ディスクを高速回転し安定（サーボが取れた状態）してから、ディスクに記録されているディスクの管理情報（ＴＯＣ(Table Of Contents)情報）を読む時間に比較し、ディスクを数回転させるだけで、ＩＣタグの位置を検出することができ、ＩＣタグとのデータ通信が可能となることより、短い時間でディスクの種類およびコンテンツの概要を知ることが可能となる。  
また、ディスクを記録再生装置に挿入した場合、ディスクに記録されているディスクの管理情報を得るより以前に、ＩＣタグの情報を優先して得ることを可能とできるので、ＩＣタグに書き込まれた情報に基づいて、記録再生装置を適応的に動作制御させることができ、ディスクの規格に束縛されないで、ユーザ固有の使用方法が可能な記録再生装置を実現することができる。例えば、ユーザＡは上記のディスクを使用（記録再生）できるが、ユーザＢはディスクの使用ができないようにすることができる。また、１つのディスクにおいて、ユーザＡの視聴する記録済の番組と、ユーザＢが視聴する記録済の番組を違う番組にすることも可能である。  
また、ＩＣタグの一部の情報（ディスク固有情報）を読み取ることにより、ディスクを高速回転（ディスク規格の所定の回転数）する必要がなく、省電力が図れることから携帯機器などに適した技術を提供できる。
【発明を実施するための最良の形態】
【０００９】
以下、本発明の実施の形態を、図面を用いて説明する。図１〜図５は本発明の第１実施形態（以下、本第１実施形態と記す）に係り、図１は、本第１実施形態の記録再生装置の外観を示す斜視図、図２は、図１の記録再生装置のディスクトレイの平面図、図３は、本第１実施形態の記録再生装置の機能構成を示すブロック図、図４は、本第１実施形態の記録再生装置におけるディスク挿入時（ディスクローディング時）の動作を示すフローチャート、図５は、本第１実施形態の記録再生装置におけるディスク排出時（ディスクアンローディング時）の動作を示すフローチャートである。また、図６は、本発明の記録再生装置で取り扱う光ディスクに装備されたＩＣタグのデータ構成の例を示す説明図である。
【００１０】
図１に示した記録再生装置Ｄは、ディスクトレイ５の構造が解かるようにディスクトレイ５を開けた状態を示している。図１に示すように、ディスクトレイ５の内部には、光ディスクを回転させるピンドルモータ３や、光ディスクの情報を読み取り或いは光ディスクに情報を書き込む光ピックアップ１が設けられている。この光ピックアップ１は、レーザ光を光ディスクへ照射する対物レンズ７などを含む公知の光学系や、半導体レーザ、受光素子を有するものとなっている。また、光ピックアップ１には、ＩＣタグの情報を読み取り或いはＩＣタグに情報を書き込みをするＩＣタグ読み書き手段２が一体となって組み込まれており、このＩＣタグ読み書き手段２は、アンテナ４や、ＩＣタグ読み取り／書き込み回路を有するものとなっている。なお、以下の説明では、光ピックアップ１とＩＣタグ読み書き手段２とが一体となった複合部材を、説明の便宜上、必要な場合以外を除いて単に光ピックアップ１と称す。
【００１１】
図２は、前記ディスクトレイ５に光ディスク６が装着された状態のイメージ図である。図２において、８は直動ガイド機構で、この直動ガイド機構８に沿って、光ピックアップ１が光ディスク６の半径方向（Ａ−Ａ’）に移動するようになっている。なお、以下の説明では、光ディスク６における光ピックアップ２との対向側の面を記録面、その反対側をレーベル面と称する。なお、図２でＢ−Ｂ’は、光ディスク６の回転方向を示している。
【００１２】
ここで、本第１実施形態の記録再生装置および後述する実施形態の記録再生装置で取り扱う可搬型の情報記録媒体である光ディスク６には、その内層部にＩＣタグが埋め込まれているか、或いは、そのレーベル面にＩＣタグが貼り付けられているものとする。なお、このＩＣタグは非常に微小な非接触式（無線通信式）のＩＣタグで構成されている。
【００１３】
次に、本第１実施形態の記録再生装置の動作を、図３のブロック図を用いて説明する。記録再生装置が光ディスク６から情報（データ）を読み出し、光ディスク６に情報（データ）を書き込みする動作については、従来技術と同じであるので簡単に説明を行う。ディスクトレイ５に光ディスク６が載せられた状態で、ディスクトレイ５を軽く押すと、ＣＰＵ１４は、ローディングモータ１７に電圧を加えるようローディングモータドライバ１６に制御コマンドを送出し、ディスクトレイ５が記録再生装置の内部に引き込まれ、これにより光ディスク６はローディング状態となる。この後、記録再生装置の操作部２０からの制御コマンドにより、ＣＰＵ１４はディスク６の記録又は再生の動作開始をする。ＣＰＵ１４は、サーボ回路１３に対しスピンドルモータドライバ１８によってスピンドルモータ３を回転させるように制御し、また、スレッドモータ（ドライバ）１５に光ピックアップ１を光ディスク６のＴＯＣ（Table Of Contents）情報を読み出す位置に移動させるよう制御する。光ピックアップ１から読み出されたピット情報は、ＲＦアンプ１１でサーボエラー信号分を取り出して、サーボ回路１３に入力される。サーボ回路１３は、光ディスク６の回転が所定（光ディスクのフォーマット）規格になるようスピンドルモータ３の電圧を制御して回転サーボ調整を行い、また、光ピックアップ１から照射されるレーザ光の光スポットが光ディスク６のトラックを正しくトレースするよう、図示せぬトラッキング制御部により光ピックアップ１の対物レンズ７のトラッキング用アクチュエータを駆動制御して、トラッキング調整を行う。回転サーボおよびトラッキングが取れた状態で、ＲＦアンプ１１およびエンコーダ／デコーダ１２およびインターフェイス回路１９を介し、光ディスク６への読み出し／書き込みを行うことができる。
【００１４】
続いて、ＩＣタグ読み書き手段２の動作について説明をする。先にも述べたように、光ピックアップ１には、ＩＣタグ読み書き手段２が一体構造となって組み込まれており、ＩＣタグ読み書き手段２は、アンテナ４とＩＣタグ読み取り／書き込み回路２１とを備えている。ＩＣタグ読み取り／書き込み回路２１の入出力信号は、変復調回路２２とＣＰＵ１４を介して、フラッシュメモリ２４のメモリ（読み出し／記憶）データとなる。また、変復調回路２２から出力されるアナログ出力信号は、ピーク値検出回路２３からＣＰＵ１４に入力される（信号２５）。ＣＰＵ１４は、信号２５を基にスピンドルモータ３およびスレッドモータ１５を制御する。
【００１５】
以下、ＩＣタグからの情報の読み取り動作、ＩＣタグへの情報の書き込み動作の詳細を、図４、図５のフローチャートを用いて説明する。
【００１６】
まず、ＩＣタグからの情報の読み取りについてを、図４を用いて説明する。光ディスク６がローディング（挿入）されると、ＣＰＵ１４は、スピンドルモータドライバ１８に僅かの電圧をスピンドルモータ３に印加するようコマンドを出し、光ディスク６をゆっくり回転させる（ステップＳ１）。これと同時に、ＩＣタグ読み書き手段２のアンテナ４からＩＣタグへの電源供給を行い、ＩＣタグからの電波を受信する。受信した電波はＩＣタグ読み取り／書き込み回路２１で増幅され、変復調回路２２へ出力される。変復調回路２２では、アナログ信号の平均値をピーク値検出回路２３に入力する。ピーク値検出回路２３では、光ディスク６が１回転する間に検出したピーク検出値をＣＰＵ１４に入力し（ステップＳ２）、これを光ディスク６を数回転させて繰り返すことにより、ＣＰＵ１４は、ディスク回転方向に対するピーク値の最適位置を判定する（ステップＳ３）。そして、ＣＰＵ１４は、ディスク回転を回転方向の最適位置でストップさせる（ステップＳ４）。次に、ＣＰＵ１４は、スレッドモータ１５を駆動させ（ステップＳ５）、ＩＣタグ読み書き手段２が一体となっている光ピックアップ２をディスク半径方向に移動させ、ＩＣタグ読み書き手段２のアンテナ４によりＩＣタグからの電波を受信する。受信した電波はＩＣタグ読み取り／書き込み回路２１で増幅され、変復調回路２２へ出力される。変復調回路では、アナログ信号の平均値をピーク値検出回路２３に入力する。ピーク値検出回路２３では、ＩＣタグ読み書き手段２（光ピックアップ１）がディスク半径方向に移動してときに検出したピーク検出値をＣＰＵ１４に入力し（ステップＳ６）、これをＩＣタグ読み書き手段２をディスク半径方向に往復させて繰り返すことにより、ＣＰＵ１４は、ディスク半径方向に対するピーク値の最適位置を判定する（ステップＳ７）。そして、ＣＰＵ１４は、ＩＣタグ読み書き手段２（光ピックアップ１）を、ディスク半径方向の最適位置でストップさせる（ステップＳ８）。以上のステップにより、光ディスク６のＩＣタグと記録再生装置のＩＣタグ読み書き手段２とが、最適な位置関係をとったことになるので、ＩＣタグ読み書き手段２はＩＣタグからの、情報（データ）の読み出しを行う（ステップＳ９）。記録再生装置は、ＩＣタグからの情報をもとに、例えば、操作部２０からのキー操作が有効か否かや、或いは、あるユーザにとって光ディスク６へのアクセスがどの程度許可されているを判定する。
【００１７】
次に、ＩＣタグへの情報の書き込みについてを、図５を用いて説明する。光ディスク６がアンローディング（排出）される前の状態となると、ＣＰＵ１４は、スピンドルモータドライバ１８に僅かの電圧をスピンドルモータ３に印加するようコマンドを出し、光ディスク６をゆっくり回転させる（ステップＳ１１）。これと同時に、ＩＣタグ読み書き手段２のアンテナ４からＩＣタグへの電源供給を行い、ＩＣタグからの電波を受信する。受信した電波はＩＣタグ読み取り／書き込み回路２１で増幅され、変復調回路２２へ出力される。変復調回路２２では、アナログ信号の平均値をピーク値検出回路２３に入力する。ピーク値検出回路２３では、光ディスク６が１回転する間に検出したピーク検出値をＣＰＵ１４に入力し（ステップＳ１２）、これを光ディスク６を数回転させて繰り返すことにより、ＣＰＵ１４は、ディスク回転方向に対するピーク値の最適位置を判定する（ステップＳ１３）。そして、ＣＰＵ１４は、ディスク回転を回転方向の最適位置でストップさせる（ステップＳ１４）。次に、ＣＰＵ１４は、スレッドモータ１５を駆動させ（ステップＳ１５）、ＩＣタグ読み書き手段２が一体となっている光ピックアップ２をディスク半径に移動させ、ＩＣタグ読み書き手段２のアンテナ４によりＩＣタグからの電波を受信する。受信した電波はＩＣタグ読み取り／書き込み回路２１で増幅され、変復調回路２２へ出力される。変復調回路では、アナログ信号の平均値をピーク値検出回路２３に入力する。ピーク値検出回路２３では、ＩＣタグ読み書き手段２（光ピックアップ１）がディスク半径方向に移動してときに検出したピーク検出値をＣＰＵ１４に入力し（ステップＳ１６）、これをＩＣタグ読み書き手段２をディスク半径方向に往復させて繰り返すことにより、ＣＰＵ１４は、ディスク半径方向に対するピーク値の最適位置を判定する（ステップＳ１７）。そして、ＣＰＵ１４は、ＩＣタグ読み書き手段２（光ピックアップ１）を、ディスク半径方向の最適位置でストップさせる（ステップＳ１８）。以上のステップにより、光ディスク６のＩＣタグと記録再生装置のＩＣタグ読み書き手段２とが、最適な位置関係をとったことになるので、ＩＣタグ読み書き手段２はＩＣタグへ情報（データ）の書き込みを行う（ステップＳ１９）。このステップＳ１９でのＩＣタグへの書き込み情報としては、例えば、光ディスク６がローディングされている間に光ディスク６に書き込んだ番組録画データなどの、光ディスク６への新たな書き込みコンテンツに関する情報、光ディスク６がローディングされている間に光ディスク６から再生したコンテンツについての再生記録情報などが考えられる。なお、前記ステップＳ１９の後は、光ディスク６は、記録再生装置からアンローディング（排出）される。
【００１８】
上記の図５でのＩＣタグへの情報の書き込みは、光ディスク６がアンローディング（排出）される前の状態となることを契機として行われるが、ＩＣタグへの情報の書き込みは、光ディスク６がローディングされている間において、光ディスク６へのアクセスを行っていない期間には、ユーザが操作部２０を適宜に操作することで、任意のタイミングで行うことができる。そして、ＩＣタグへ書き込む情報も、ユーザが操作部２０を適宜に操作し、図示せぬモニタに表示されるユーザインターフェースとしての表示画面を用いることで、ユーザが所望する情報を書き込むことができ、さらには、書き込んだ情報の更新や削除も行うことができるようになっている。
【００１９】
ＩＣタグに書き込まれるデータについて、図６を用いて説明する。ＩＣタグに記録される情報は、図６に示すように、ツリー状のデータ構成をとるようになっている。このＩＣタグの記憶領域は、書換え不可能な領域（以下、読み出し専用領域と記す）４０と、書き込み／読み出し／消去可能な領域４１とからなっている。
【００２０】
読み出し専用領域には、固有情報（その光ディスクにしか付与されない番号）４２がメモリされている。
【００２１】
書き込み／読み出し／消去可能な領域４１には、例えば、ユーザ「１」４３、ユーザ「２」４４、ユーザ「３」４５…のように、複数の親ディレクトリを設けることができる。この親ディレクトリ４３、４４、４５…は、記録再生装置に設けられた操作部２０より入力してもよく、予めＩＣタグに記録されていてもよい。光ディスク６の記録可能なディスク容量（全領域４６）Ａ〜Ｚに対して、１ユーザに全権（administrator）を与え（本例では、ユーザ「１」）、書き込み（済みでもよいが）読み出し可能領域をＡ〜Ｚとして、このうち、領域Ｙ〜Ｚを光ディスク６のタイトル（名）領域４７とする（初期状態でこのようにしてもよい）。全権を与えられたユーザ「１」は、他のユーザ（ユーザ「２」、ユーザ「３」）に対する権限を付与することができる。例えば、ユーザ「２」に対しては、読み出し可能領域を（Ａ〜Ｂ）４８と（Ｅ〜Ｆ）４９のみに限定させることができる。読み出し可能領域は、番組に置き換えても良く、また１つの番組の中の１シーンとして捉えてもよい。また、ユーザ「３」に対しては、読み出し可能領域を（Ａ〜Ｂ）４８と（Ｇ〜Ｊ）５３と（Ｊ〜Ｙ）５４に限定させることができる。さらに、ユーザ「１」はユーザ「２」の読み出し可能領域（Ａ〜Ｂ）４８に対して、書き込み可能領域５０としている。この領域（Ａ〜Ｂ）４８が既に書き込み済み領域である場合、この領域に対して書き込み可能とは、消去可能であることをも意味する。
【００２２】
上記のようなＩＣタグに書き込まれた情報を読み出すことで、ＣＰＵ１４は、ユーザ毎に許可された光ディスク６に対するアクセス制限の有無やアクセス範囲を認知することができ、これによって、ＣＰＵ１４は、ユーザ毎に応じた許可範囲内での、光ディスク６へのアクセスを許可することになる。このように、ユーザ毎に応じた適応的なアクセス許可／制限を行うためには、ユーザの個人認証を、記録再生装置に光ディスクを挿入する直前（例えば、ディスクトレイの引き出し操作が行われた後）などの適宜のタイミングで行い、記録再生装置の現在の操作者がどのユーザであるかを特定する。個人認証の手法としては、ユーザが入力する個人識別用ＩＤを用いる手法、ユーザが所持する個人識別用カードを読み取る手法、指紋や指の静脈パターンや虹彩を読み取る手法、音声認識による手法（声紋を認識する手法）などが考えられる。このように、ユーザの個人認証を行うことで、ＩＣタグに書き込まれていないユーザに対しては、記録再生装置自体の動作制限（例えば、操作部２０のキー操作を無効にするなど）や、光ディスク６に対する全面的なアクセス拒否を行うこともできる。
【００２３】
次に、本発明の第２実施形態（以下、本第２実施形態と記す）について説明する。図７は、本第２実施形態の記録再生装置の機能構成を示すブロック図であり、同図において、前記第１実施形態の図３の構成要素と同一のものには同一符号を付し、その説明は重複を避けるため割愛する。
【００２４】
本第２実施形態が前記第１実施形態と異なるのは、ＩＣタグの位置を検出する手法として、ＩＣタグ読み書き手段２のアンテナ４による受信電波を用いないで、記録再生装置における光ディスク６のレーベル面側に相対する面に、発光部と受光部を交互に配置したインライン状（略光ディスク６の半径長）のセンサ３０による検出出力によって行うようにした点にある。このセンサ３０は、光ディスク６の半径方向に、且つ、ＩＣタグ読み書き手段２の移動方向と平行になるよう配置する。
【００２５】
本第２実施形態では、光ディスク６が記録再生装置にローディングされると、ＣＰＵ１４は、先に説明したのと同様に、光ディスク６をゆっくり回転させる。そして、これと同時に、センサ３０を発光させる。この発光は同時に全ての発光部を発光してもよいが、ＣＰＵ１４の制御で、ディスク中心部から外周部にスキャン（この逆でもよい）させるようにした方が、センサ３０とピーク値検出回路３１との間のワイヤ本数を減らすことができる。また、１スキャンで光ディスク６を１回転（若しくは同期させ回転させる）ことで、ディスク内層部或いはディスク表面（レーベル面）に貼り付けられたＩＣタグ位置がわかるように、ＩＣタグ位置は、発光部からの反射した光が受光部で他の面からの反射光との区別が明らかになるように構成する。例えば、反射効率のよい反射板を貼り付けたり、色相による変化、表面に凸或いは凹を付けるなど、規格上の取り決めをしておけばよい。したがって、光ディスク６をゆっくり回転させると共に、センサ３０の発光をスキャンすることで、センサ３０の受光部からの出力信号をピーク検出するピーク値検出回路３１の出力により、ＣＰＵ１４は、ＩＣタグの位置（回転方向の位置及び半径方向の位置）を認知することができる。ＣＰＵ１４は、ＩＣタグの位置の判定結果に基づき、ディスク回転を回転方向の最適位置でストップさせ、また、ＩＣタグの位置（インラインセンサ受光部のピークとなる位置）に、ＩＣタグ読み書き手段２のアンテナ４が最も近づいた位置に、ＩＣタグ読み書き手段２と一体の光ピックアップ１が位置付け・停止されるように、スレッドモータ１５を制御する。
【００２６】
本第２実施形態の他の構成や動作は、前記第１実施形態と同様であり、前記第１実施形態と同様に、ＩＣタグに書き込まれた情報に基づいて、記録再生装置を適応的に動作制御させることができる。
【図面の簡単な説明】
【００２７】
【図１】本発明の第１実施形態に係る記録再生装置の外観を示す斜視図である。
【図２】図１の記録再生装置のディスクトレイの平面図である。
【図３】本発明の第１実施形態に係る記録再生装置の機能構成を示すブロック図である。
【図４】本発明の第１実施形態に係る記録再生装置における、ディスク挿入時（ディスクローディング時）の動作を示すフローチャートである。
【図５】本発明の第１実施形態に係る記録再生装置における、ディスク排出時（ディスクアンローディング時）の動作を示すフローチャートである。
【図６】本発明の記録再生装置で取り扱う光ディスクに装備されたＩＣタグのデータ構成の例を示す説明図である。
【図７】本発明の第２実施形態に係る記録再生装置の機能構成を示すブロック図である。
【符号の説明】
【００２８】
Ｄ  記録再生装置
１  光ピックアップ
２  ＩＣタグ読み書き手段
３  スピンドルモータ
４  アンテナ
５  ディスクトレイ
６  光ディスク
７  対物レンズ
１１  ＲＦアンプ
１２  エンコーダ／デコーダ
１３  サーボ回路
１４  ＣＰＵ
１５  スレッドモータ
１６  ローディングモータドライバ
１７  ローディングモータ
１８  スピンドルモータドライバ
１９  インターフェイス回路
２０  操作部
２１  ＩＣタグ読み取り／書き込み回路
２２  変復調回路
２３  ピーク値検出回路
２４  フラッシュメモリ
３０  センサ
３１  ピーク値検出回路
【図１】
2006154955.tif 000003
【図２】
2006154955.tif 000004
【図３】
2006154955.tif 000005
【図４】
2006154955.tif 000006
【図５】
2006154955.tif 000007
【図６】
2006154955.tif 000008
【図７】
2006154955.tif 000009